(57)【特許請求の範囲】
【請求項１】
照度センサおよび人感センサと接続し、親機および子機から構成される照明システムであって、
前記親機は、
交流電力の力率を改善して直流電力に変換する力率改善回路と、
前記力率改善回路と接続し、前記直流電力の大きさを可変して出力可能なＮ（Ｎは２以上の整数）個の限流回路と、
前記Ｎ個の限流回路のうちの１つと接続して照明を行う光源と、
前記照度センサが検知した親機下および子機下の照度の情報、および前記人感センサが検知した親機下および子機下の人の有無の情報に基づいて、前記Ｎ個の限流回路が出力する直流電力の大きさを個別に制御する制御手段と、
前記親機および前記子機が前記照度センサまたは前記人感センサのいずれか一方のセンサで検知された情報に基づいて制御されるのかを個別に設定可能な制御センサ設定手段と、
を備え、
前記親機と最大Ｎ−１個接続可能な前記子機は、
それぞれが異なる前記Ｎ個の限流回路のうちの１つと接続して照明を行う光源、
を備えたことを特徴とする照明システム。
【請求項２】
前記光源を、２以上のＬＥＤを直列接続したもの、または２以上の有機ＥＬを直列接続したものとする、
ことを特徴とする請求項１に記載の照明システム。
【請求項３】
前記親機は、
前記照度センサおよび人感センサへ直流電力を供給する電源手段、
を備えることを特徴とする請求項１または２に記載の照明システム。
【請求項４】
前記制御手段は、前記照度センサおよび前記人感センサから取得した情報に基づいていずれかのセンサに異常が発生したことを検知した場合、前記Ｎ個の限流回路に対して、個別の出力制御を行わず、あらかじめ定められた明るさで前記親機および前記子機が照明する制御を行う、
ことを特徴とする請求項１から３のいずれか１つに記載の照明システム。
【請求項５】
前記制御手段は、前記Ｎ個の限流回路から各光源へ出力される出力電力および出力電流を検出し、出力電力または出力電流の異常を検知した場合、異常を検出した限流回路から前記親機または前記子機が備える光源への直流電力の出力を停止し、異常を検出していない限流回路に対して、個別の出力制御を行わず、あらかじめ定められた明るさで前記親機および前記子機、または前記子機、または前記親機が照明する制御を行う、
ことを特徴とする請求項１から４のいずれか１つに記載の照明システム。
【請求項６】
前記親機と前記子機、前記親機と前記照度センサ、および前記親機と前記人感センサとの接続をコネクタによる接続とし、各コネクタ形状を全て異なる形状とする、
ことを特徴とする請求項１から５のいずれか１つに記載の照明システム。
【請求項７】
前記子機は、前記親機または前段に接続する子機から出力された直流電力を後段の他の子機へ中継可能な中継手段、
を備えることを特徴とする請求項１から６のいずれか１つに記載の照明システム。
【請求項８】
前記親機は、前記光源と接続する限流回路から出力された直流電力を前記子機へ中継可能な中継手段、
を備えることを特徴とする請求項１から７のいずれか１つに記載の照明システム。
【発明の詳細な説明】
【技術分野】
【０００１】
本発明は、明るさ制御を行なう照明システムに関する。
【背景技術】
【０００２】
従来、明るさ制御を行う照明装置として、照度センサユニットと、照度センサの情報を受けて各照明器具に調光信号を出力するコントロールユニットと、調光信号に応じて安定器の出力を変えて照明の明るさを制御する照明器具と、を備えた照明システムがあり、このような照明システムに関する技術が、下記特許文献１において開示されている。システムを構成する個々の照明器具は、光源の明るさを調整する安定器、コントロールユニットから送信される調光信号に応じて安定器を制御する制御回路、さらに制御回路を動作させるための制御電源を備えている。
【先行技術文献】
【特許文献】
【０００３】
【特許文献１】特開２０１１−１２４１０９号公報
【発明の概要】
【発明が解決しようとする課題】
【０００４】
しかしながら、上記従来の技術によれば、個々の照明器具毎に安定器、制御回路、制御電源が必要である。そのため、システム全体としてコストが高くなる、という問題があった。また、各照明器具には、調光信号線と電源線の２つの線を接続する必要がある。そのため、システムの設置工事に手間がかかる、という問題があった。
【０００５】
本発明は、上記に鑑みてなされたものであって、明るさ制御を行うことができ、低コストかつ容易に設置可能な照明システムを得ることを目的とする。
【課題を解決するための手段】
【０００６】
上述した課題を解決し、目的を達成するために、本発明は、照度センサおよび人感センサと接続し、親機および子機から構成される照明システムであって、前記親機は、交流電力の力率を改善して直流電力に変換する力率改善回路と、前記力率改善回路と接続し、前記直流電力の大きさを可変して出力可能なＮ（Ｎは２以上の整数）個の限流回路と、前記Ｎ個の限流回路のうちの１つと接続して照明を行う光源と、前記照度センサが検知した親機下および子機下の照度の情報、および前記人感センサが検知した親機下および子機下の人の有無の情報に基づいて、前記Ｎ個の限流回路が出力する直流電力の大きさを個別に制御する制御手段と、を備え、前記親機と最大Ｎ−１個接続可能な前記子機は、それぞれが異なる前記Ｎ個の限流回路のうちの１つと接続して照明を行う光源、を備えたことを特徴とする。
【発明の効果】
【０００７】
本発明によれば、明るさ制御を行うことができ、低コストかつ容易に設置できる、という効果を奏する。
【図面の簡単な説明】
【０００８】
【図１】図１は、照明システムの構成例を示す図である。
【図２】図２は、照明システムを天井に設置したときの設置例を示す図である。
【図３】図３は、実施の形態２の照明システムの構成例を示す図である。
【図４】図４は、実施の形態３の照明システムの構成例を示す図である。
【図５】図５は、実施の形態７の照明システムの構成例を示す図である。
【発明を実施するための形態】
【０００９】
以下に、本発明にかかる照明システムの実施の形態を図面に基づいて詳細に説明する。なお、この実施の形態によりこの発明が限定されるものではない。
【００１０】
実施の形態１．
図１は、本実施の形態に係る照明システムの構成例を示す図である。照明システムは、親機１０と、子機１１−１、１１−２、１１−３と、照度センサ１２と、人感センサ１３と、を備える。親機１０は、交流電源１４と接続し、自身と接続する子機１１−１、１１−２、１１−３、照度センサ１２、人感センサ１３へ電源を供給する。
【００１１】
親機１０は、交流電源１４から入力した交流電圧を全波整流するダイオードブリッジ１と、交流電源１４を全波整流したダイオードブリッジ１の出力電圧から、制御部３を駆動するための電源を生成するとともに、親機１０の外部に設置された照度センサ１２および人感センサ１３を駆動するための電源を供給する電源部２と、照度センサ１２および人感センサ１３から入力した情報に基づいて、親機１０および子機１１−１、１１−２、１１−３の照明の明るさを制御する制御部３と、ダイオードブリッジ１からの出力電圧を昇圧する昇圧コンバータである力率改善回路４と、明るさ制御対象の光源に対して電源を供給するＮ（Ｎは２以上の整数、ここではＮ＝４）個の限流回路５−１、５−２、５−３、５−４と、限流回路５−１と接続し、親機１０の光源となるＬＥＤ（Light  Emitting  Diode）群６−１と、を備える。
【００１２】
また、子機１１−１は、限流回路５−２と接続し、光源となるＬＥＤ群６−２を備え、子機１１−２は、限流回路５−３と接続し、光源となるＬＥＤ群６−３を備え、子機１１−３は、限流回路５−４と接続し、光源となるＬＥＤ群６−４を備える。ＬＥＤ群６−１〜６−４は、それぞれ２以上のＬＥＤを直列接続した光源である。
【００１３】
なお、親機１０が備えるＮ個の限流回路のうちの１つは親機１０のＬＥＤ群６−１と接続するため、親機１０と子機は最大でＮ−１個（ここでは３個）接続可能である。一例として、Ｎ＝４の場合について説明するが、Ｎ＝４に限定するものではない。
【００１４】
本実施の形態の照明システムでは、親機１０において、制御部３が力率改善回路４および限流回路５−１〜５−４の出力電圧を制御することによって、自身および子機１１−１〜１１−３の光源（ＬＥＤ群６−１〜ＬＥＤ群６−４）の明るさを制御する。
【００１５】
まず、制御部３が力率改善回路４を制御する動作について説明する。制御部３は、スイッチング素子４ｃを高周波で駆動してオン／オフを切り替える。スイッチング素子４ｃがオンの場合、力率改善回路４では、交流電源１４およびコンデンサ４ａからリアクトル４ｂを介してスイッチング素子４ｃに電流が流れる。このとき、リアクトル４ｂにはエネルギーが蓄積される。スイッチング素子４ｃをオフにすると、力率改善回路４では、リアクトル４ｂに蓄えられたエネルギーがダイオード４ｄを介して電解コンデンサ４ｅに蓄えられる。このとき、電解コンデンサ４ｅに充電される電圧は、交流電源１４のピーク電圧より高い電圧に昇圧される。
【００１６】
力率改善回路４では、交流電源１４からコンデンサ４ａに充電電流が流れており、常に交流電源１４から回路に電流が流れるので、制御部３の制御により、力率を改善して高力率で昇圧を行うことができる。
【００１７】
つぎに、制御部３が限流回路５−１〜５−４を制御する動作について説明する。一例として、限流回路５−１を用いて説明する。制御部３は、スイッチング素子５ａを高周波で駆動してオン／オフを切り替える。スイッチング素子５ａがオンの場合、限流回路５−１では、電解コンデンサ４ｅからリアクトル５ｃを介してコンデンサ５ｄが充電される。スイッチング素子５ａをオフにすると、限流回路５−１では、リアクトル５ｃに蓄えられたエネルギーはコンデンサ５ｄ、ダイオード５ｂ、リアクトル５ｃで構成される回路を流れてコンデンサ５ｄを充電する。これにより、限流回路５−１では、スイッチング素子５ａのオンとオフの比率に応じて、電解コンデンサ４ｅの電圧から降圧された電圧がコンデンサ５ｄに蓄えられ、この電圧でＬＥＤ群６−１を動作させることができる。
【００１８】
コンデンサ５ｄの電圧はＬＥＤ群６−１の電圧と等しいため、制御部３は、コンデンサ５ｄの電圧と電流検出抵抗５ｅの電圧から、ＬＥＤ群６−１に供給されている電力を把握することができる。制御部３は、この把握した電力が所定の電力となるようにスイッチング素子５ａのオン／オフの比率を制御して、ＬＥＤ群６−１の明るさを変えることができる。同様に、制御部３は、限流回路５−２〜５−４が出力する電圧を制御して、子機１１−１〜１１−３内のＬＥＤ群６−２〜６−４の明るさを変えることができる。
【００１９】
図２は、図１に示す照明システムを天井に設置したときの設置例を示す図である。天井面を下から見上げた様子を示すものである。ここでは、親機１０と子機１１−１〜１１−３を配置した各機の間に、照度センサ１２と人感センサ１３を設置している。照度センサ１２および人感センサ１３は、角度を変える機能または複眼構成となっており、照度センサ１２は各照明器具（親機１０および子機１１−１〜１１−３）下の照度を検知でき、人感センサ１３は各照明器具下の人の有無を検知できる構成となっている。
【００２０】
親機１０の制御部３は、人感センサ１３からどの器具の近くに人がいるかの情報と、照度センサ１２から各照明器具下の照度情報とを読み込み、人がいる器具の下が所定の明るさになるように、また、人がいない器具の下は、所定の明るさより照度を落とすまたは消すように、各限流回路５−１〜５−４を制御する。
【００２１】
このように、電源部２、制御部３、力率改善回路４、限流回路５−１〜５−４を親機１０に集約しているため、各々の器具に個別に電源部、制御部、力率改善回路、限流回路を設ける場合と比較して、コストの安い照明システムを提供することができる。また、従来の照明システムでは、電源線および調光信号線の２つの線を各器具に配線する必要があるが、本実施の形態の照明システムでは、子機１１−１〜１１−３には親機１０からの電源線のみ配線すればよいことから、配線が容易にでき、設置工事が簡単になる効果がある。
【００２２】
なお、光源としてＬＥＤを用いた場合について説明したが、これに限定するものではなく、例えば、有機ＥＬ（Electro  Luminescence）を用いることも可能である。なお、ＬＥＤ同様、２以上の有機ＥＬを直列接続して使用する。特に、光源としてＬＥＤや有機ＥＬを使用する場合、親機と子機の接続は、直流電力での接続となる。そのため、交流接続と異なり、インダクタンス成分による配線損失を抑えることができ、高効率の照明システムを得ることができる。すなわち、配線損失Ｗは、配線抵抗をＲ、周波数をｆ、インダクタンスをＬ、電流をＩとした場合、以下の式（１）で表すことができる。
【００２３】
【数１】
0006021397.tif 000002
【００２４】
直流電力で配線した場合はｆ＝０であることから、上記式（１）において損失Ｗは配線抵抗Ｒ分のみとなる。一方、５０Ｈｚまたは６０Ｈｚの交流電力で配線した場合はインダクタンス成分の損失が加わることから、直流配線と比較してインダクタンス成分の配線損失が増加することになる。
【００２５】
また、本実施の形態の照明システムでは、照度センサ１２および人感センサ１３の駆動用電源についても親機１０の電源部２から供給することとした。これにより、照度センサ１２および人感センサ１３は内部に電源を設ける必要がないことから、コストの安い照明システムを提供することができる。
【００２６】
以上説明したように、本実施の形態では、照明システムにおいて、親機１０が、交流電力の力率を改善して直流電力に変換する力率改善回路４と、直流電力の大きさを可変して出力可能な限流回路５−１〜５−４と、照度センサ１２および人感センサ１３の検知した情報に基づいて力率改善回路４および限流回路５−１〜５−４を制御する制御部３と、を備え、制御部３が限流回路５−１〜５−４の出力を個別に制御することにより、親機１０において、自身が備えるＬＥＤ群６−１および子機１１−１〜１１−３が備えるＬＥＤ群６−２〜６−４の明るさを制御することとした。これにより、子機１１−１〜１１−３では、それぞれＬＥＤ群６−２〜６−４のみ備え、自身で明るさ制御を行わないため、安定器、制御装置、制御電源等を備える必要がないことから、低コストの照明システムを提供することができる。また、照明システムの設置では、子機１１−１〜１１−３の接続は親機１０からの直流電力線のみの配線で済み、電源線や調光信号線の配線が不要となる。これにより、設置工事の手間が省け、容易に設置可能である。
【００２７】
実施の形態２．
本実施の形態では、親機１０および子機１１−１〜１１−３について、照度センサ１２または人感センサ１３の何れかのセンサの検知結果に基づいて制御されるかを設定可能な構成について説明する。実施の形態１と異なる部分について説明する。
【００２８】
図３は、本実施の形態の照明システムの構成例を示す図である。図３に示すように、制御部３ａは、内部に制御センサ設定部３１を備える。その他の構成は図１（実施の形態１）と同様である。制御センサ設定部３１は、親機１０および子機１１−１〜１１−３について、照度センサ１２の情報で制御されるのか、または人感センサ１３の情報で制御されるのかを個別に設定する。
【００２９】
つづいて、本実施の形態における制御部３ａの制御動作について説明する。ここでは、一例として、制御センサ設定部３１によって、親機１０および子機１１−２は人感センサ１３での検知結果（検知された情報）に基づく制御で動作するよう設定され、子機１１−１、１１−３は照度センサ１２の検知結果に基づく制御で動作するよう設定されているものとする。
【００３０】
この場合、制御部３ａは、人感センサ１３の検知範囲における人の在／不在に対応して限流回路５−１、５−３の出力電圧を制御し、親機１０および子機１１−２への直流電力の供給を制御して各機器の照明（ＬＥＤ群）の点灯／消灯動作を行う。
【００３１】
一方、制御部３ａは、照度センサ１２での検知結果に基づいて限流回路５−２、５−４の出力電圧を制御し、子機１１−１、１１−３への直流電力の供給を制御して各子機の照明（ＬＥＤ群）が所定の明るさになるように動作する。
【００３２】
このように、本実施の形態では、制御センサ設定部３１において、親機１０および子機１１−１〜１１−３に対して、どのセンサの検知結果で制御されるのかを個別に設定できるようにしたことから、各機器の設置位置に応じた照明の調光制御を行うことが可能となる。例えば、図３に示す照明システムが設置された部屋において、窓際に設置された子機１１−１、１１−３については周囲環境の明るさに応じて調光制御（例えば、太陽光などにより明るい場合、子機１１−１、１１−３は照度落として点灯）させ、窓から遠い側に配置した親機１０および子機１１−２については人の存在を検知している場合は点灯し、不在の場合は消灯させるという動作が可能になる。
【００３３】
以上説明したように、本実施の形態では、照明システムにおいて、制御センサ設定部３１により、親機１０および子機１１−１〜１１−３について、それぞれどのセンサの検知結果によって制御されるかを設定できるようにした。これにより、実施の形態１の効果に加え、照明制御システムとしての制御性向上を図ることができ、さらに、利便性、省エネ性を向上することが可能になる。
【００３４】
なお、制御センサ設定部３１での設定は、ディップスイッチのようなハードウェアを用いて設定する方法でもよいし、制御部３ａに備えたマイコンでのソフトウエアによる設定でもよく、特に制御センサ設定部３１での設定の方法を限定するものではなく、設定可能な何れの方法でもよい。
【００３５】
実施の形態３．
実施の形態２では、親機１０および子機１１−１〜１１−３がどのセンサの検知結果に基づいて制御されるのかを設定可能な構成について説明した。本実施の形態では、複数のセンサで制御される場合に、優先的に制御に使用するセンサを設定可能な構成について説明する。実施の形態１と異なる部分について説明する。
【００３６】
図４は、本実施の形態の照明システムの構成例を示す図である。図４に示すように、制御部３ｂは、内部に優先センサ設定部３２を備える。その他の構成は図１（実施の形態１）と同様である。優先センサ設定部３２は、親機１０が照度センサ１２および人感センサ１３を備え、親機１０自身と子機１１−１〜１１−３がそれぞれのセンサの検知情報に基づいて制御される場合に、照度センサ１２および人感センサ１３の何れかを優先的に制御に使用するかを親機１０、子機１１−１〜１１−３のそれぞれ個別に設定する。
【００３７】
つづいて、本実施の形態における制御部３ｂの制御動作について説明する。ここでは、一例として、優先センサ設定部３２によって、親機１０および子機１１−１は照度センサ１２が優先設定され、子機１１−２、１１−３は人感センサ１３が優先設定されているものとする。
【００３８】
この場合、制御部３ｂは、照度センサ１２で検知される周囲の照度に基づいて限流回路５−１、５−２の出力電圧を制御し、親機１０および子機１１−１への直流電力の供給を制御して各機器の照明（ＬＥＤ群）が適正照度となるように動作する。具体的に、制御部３ｂは、人感センサ１３で得られる人の在／不在情報が入力されると、人が在の場合は、照度センサ１２での検知結果に基づいて各機器を適正な明るさで点灯させ、人が不在の場合は、在の場合と比較して明るさを大きく落とした状態（暗い状態）で点灯を継続させる。
【００３９】
一方、制御部３ｂは、人感センサ１３の検知範囲における人の在／不在に対応して限流回路５−３、５−４の出力電圧を制御し、子機１１−２、１１−３への直流電力の供給を制御して照明（ＬＥＤ群）の調光動作を行う。具体的に、制御部３ｂは、人感センサ１３で在と検出した場合は、子機１１−２、１１−３を点灯させる。点灯したときの明るさは、照度センサ１２の検知結果に基づいて明るさを制御された状態で点灯させる。また、制御部３ｂは、人感センサ１３で人不在を検知した場合は、照度センサ１２の検知結果にかかわらず消灯させる制御を行う。
【００４０】
以上説明したように、本実施の形態では、照明システムの優先センサ設定部３２の設定により、照度センサ１２優先設定の場合は、照度センサ１２の検知結果に基づいて明るさを制御する動作を行い、さらに、人感センサ１３による在／不在情報をあわせて、不在時にも所定の明るさを保持する動作を行う。また、人感センサ１３優先設定の場合は、人の在／不在に合わせて点灯／消灯を行い、点灯の場合に照度センサ１２の検知結果に基づいて適正な明るさで点灯させるように動作することができる。これにより、複数のセンサが接続された場合においても、照明器具（親機１０、子機１１−１〜１１−３）それぞれにどのセンサに優先的に制御されるか設定可能であるため、親機１０の１台で自身および接続される各子機の動作を個別に設定することができ、照明制御システムとしての制御性向上を図ることができ、さらに、利便性、省エネ性を向上することが可能になる。
【００４１】
なお、本実施の形態では、照度センサ１２と人感センサ１３の組合せについて説明したが、センサの組合せはこれに限定するものではない。例えば、人感センサを２台用いてそれぞれ照明器具に優先設定を行い、点灯制御されるような構成でもよい。
【００４２】
また、優先センサ設定部３２での設定は、ディップスイッチのようなハードウェアを用いて設定する方法でもよいし、制御部３ｂに備えたマイコンでのソフトウエアによる設定でもよく、特に優先センサ設定部３２での設定の方法を限定するものではなく、設定可能な何れの方法でもよい。
【００４３】
実施の形態４．
本実施の形態では、照度センサ１２、人感センサ１３に異常が発生した場合の制御について説明する。実施の形態１〜３と異なる部分について説明する。
【００４４】
制御部３は、照度センサ１２および人感センサ１３から定められたフォーマットにより送られてくる信号（計測場所とその照度情報、計測場所とその場所の人感情報）を読み込んで、力率改善回路４および限流回路５−１〜５−４の動作を制御することにより、各照明器具（親機１０および子機１１−１〜１１−３）の明るさを制御する。
【００４５】
ここで、照度センサ１２や人感センサ１３に異常が発生し、照度センサ１２や人感センサ１３から信号が送られてこない、または定められたフォーマットで信号が送られてこない場合、制御部３は、正常に信号が送られてこない方のセンサ（照度センサ１２または人感センサ１３）に異常があると判定する。この場合、制御部３は、親機１０および子機１１−１〜１１−３を個別の明るさに制御することを禁止して、各照明器具を全光の明るさ、すなわち最大電力で照明する制御を行う。
【００４６】
このように、照明システムでは、センサ異常の場合、制御部３は、各照明器具を個別の明るさに制御することを禁止して、所定の明るさで一律に制御することとした。これにより、異常動作による使用者の不快感を防止することができる。
【００４７】
実施の形態５．
本実施の形態では、ＬＥＤ群６−１〜６−４に異常が発生した場合の制御について説明する。実施の形態１〜４と異なる部分について説明する。
【００４８】
制御部３は、限流回路５−１〜５−４の出力電圧（コンデンサ５ｄの電圧）および出力電流（電流検出抵抗５ｅの電圧）を読み込んで、照度センサ１２および人感センサ１３から送られてくる情報に基づいて決定された明るさとなるように、各限流回路５−１〜５−４の動作を制御する。
【００４９】
ここで、出力電圧または出力電流が所定範囲外となった場合、制御部３は、所定範囲外となった限流回路と接続するＬＥＤ群において、オープン、ショート、または部分的ショート等が発生していると判定する。この場合、制御部３は、該当の限流回路内のスイッチング素子５ａをオフにしてＬＥＤを消灯させるとともに、他の限流回路については、照度センサ１２および人感センサ１３の情報に基づく個別の明るさに制御する動作を禁止して、各照明器具（親機１０および子機１１−１〜１１−３から該当の限流回路と接続するものを除く）を全光の明るさ、すなわち最大電力で照明する制御を行う。
【００５０】
このように、照明システムでは、一部のＬＥＤ群が異常の場合、制御部３は、該当するＬＥＤ群に接続される限流回路への電流を遮断することとした。これにより、ショート等による力率改善回路４の出力電圧低下のため、他のＬＥＤ群へ電力を供給できなくなる事態を回避することができる。
【００５１】
また、照明システムでは、一部のＬＥＤ群が異常の場合、制御部３は、各照明器具を個別の明るさに制御することを禁止して、残りのＬＥＤ群を全光の明るさで制御することとした。これにより、暗くならずに使用者の不快感を防止することができる。
【００５２】
実施の形態６．
本実施の形態では、親機１０と、子機１１−１、１１−２、１１−３、照度センサ１２、および人感センサ１３との接続方法について説明する。実施の形態１〜５と異なる部分について説明する。
【００５３】
親機１０と子機１１−１、１１−２、１１−３、親機１０と照度センサ１２、および親機１０と人感センサ１３との接続は、コネクタによる接続として、各コネクタ形状を全て異なる形状にする。
【００５４】
各機を接続するコネクタ形状をそれぞれ異なる形状にすることにより、誤配線による故障を防止できるとともに、設置工事が簡単な照明システムを提供することができる。
【００５５】
実施の形態７．
本実施の形態では、照明システムの制御対象機器の台数を増加させる構成について説明する。実施の形態１〜６と異なる部分について説明する。
【００５６】
図５は、本実施の形態の照明システムの構成例を示す図である。照明システムは、照度センサ１２および人感センサ１３を備えた親機１０と、子機１１−１ａ〜１１−１ｄ、１１−２ａ〜１１−２ｂ、１１−３ａ〜１１−３ｂと、から構成される。各子機は、親機１０または前段の子機からの入力を他（後段）の子機に中継可能な中継部１５、を備える。
【００５７】
例えば、子機１１−１ａは、親機１０からの直流電力の入力を自身（子機１１−１ａ）への入力とするとともに、中継部１５において他の子機１１−１ｂへ中継する動作を行う。また、子機１１-１ｂは、子機１１−１ａからの直流電力の入力を自身（子機１１−１ｂ）への入力とするとともに、中継部１５において他の子機１１−１ｃへ中継する動作を行う。また、子機１１-１ｃは、子機１１−１ｂからの直流電力の入力を自身（子機１１−１ｃ）への入力とするとともに、中継部１５において他の子機１１−１ｄへ中継する動作を行う。同様に、子機１１−２ａは、親機１０からの直流電力の入力を自身（子機１１−２ａ）への入力とするとともに、中継部１５において他の子機１１−２ｂへ中継する動作を行う。同様に、子機１１−３ａは、親機１０からの直流電力の入力を自身（子機１１−３ａ）への入力とするとともに、中継部１５において他の子機１１−３ｂへ中継する動作を行う。
【００５８】
以上説明したように、本実施の形態では、各子機が中継部１５を備え、親機１０または前段の子機からの出力を他（後段）の子機へ中継する構成としているため、照明システムとして制御対象機器の台数を容易に増加させることが可能になる。また、このように構成することで、親機１０が備える限流回路の数だけ、それぞれの限流回路単位で子機のグループを構成することが可能になる、という効果がある。また、親機１０に搭載する限流回路は、それぞれ限流回路毎に制御したい子機台数分だけの能力（出力電力）を備えるだけでよく、増設したい子機の数だけ個別に源流回路を親機１０に備える必要が無いため、親機１０を小型化できる、という効果を奏する。
【００５９】
なお、本実施の形態では、各子機に中継部１５を備える構成について説明したが、親機１０にも中継部１５を備えることで、親機１０と同じ制御を行いたい子機を容易に増設することが可能になる。この場合、親機１０では、限流回路５−１とＬＥＤ群６−１との間に中継部１５を配置する。
【産業上の利用可能性】
【００６０】
以上のように、本発明にかかる照明システムは、親機と複数の子機を備えたシステムに有用であり、特に、各機の明るさを制御するシステムに適している。
【符号の説明】
【００６１】
１  ダイオードブリッジ
２  電源部
３、３ａ、３ｂ  制御部
４  力率改善回路
５−１、５−２、５−３、５−４  限流回路
６−１、６−２、６−３、６−４  ＬＥＤ群
１０  親機
１１−１、１１−２、１１−３、１１−１ａ〜１１−１ｄ、１１−２ａ、１１−２ｂ、１１−３ａ、１１−３ｂ  子機
１２  照度センサ
１３  人感センサ
１４  交流電源
１５  中継部
３１  制御センサ設定部
３２  優先センサ設定部
【図１】
0006021397.tif 000003
【図２】
0006021397.tif 000004
【図３】
0006021397.tif 000005
【図４】
0006021397.tif 000006
【図５】
0006021397.tif 000007